(57)【要約】【課題】レンズの光軸方向から見たときの形状が略四角形状となるレンズ駆動装置において、搭載されるレンズの径が大型化する場合であっても、小型化することが可能なレンズ駆動装置を提供すること。【解決手段】レンズの光軸方向から見たときの形状が略四角形状となるレンズ駆動装置は、レンズを保持し光軸方向に移動可能な可動体と、可動体を光軸方向へ駆動するための駆動機構４とを備えている。駆動機構４は、レンズ駆動装置の四隅に配置される略三角柱状の駆動用磁石部１１と、略三角筒状に巻回され、その内周面が駆動用磁石部１１の外周面と所定の隙間を介して対向配置される駆動用コイル１２とを備えている。駆動用磁石部１１は、駆動用コイル１２との対向位置で駆動用コイル１２を通過する磁束が発生するように着磁されている。【選択図】図３
2010139821.tif 000002
【特許請求の範囲】
【請求項１】
レンズの光軸方向から見たときの形状が略四角形状となるレンズ駆動装置であって、
前記レンズを保持し前記光軸方向に移動可能な可動体と、前記可動体を前記光軸方向へ駆動するための駆動機構とを備え、
前記駆動機構は、前記レンズ駆動装置の四隅の少なくとも１箇所に配置される略三角柱状の駆動用磁石部と、略三角筒状に巻回され、その内周面が前記駆動用磁石部の外周面と所定の隙間を介して対向配置される駆動用コイルとを備え、
前記駆動用磁石部は、前記駆動用コイルとの対向位置で前記駆動用コイルを通過する磁束が発生するように着磁されていることを特徴とするレンズ駆動装置。
【請求項２】
前記駆動用磁石部は、前記光軸方向で重なるように配置される略三角柱状の２個の駆動用磁石片を備え、
前記光軸方向における２個の前記駆動用磁石片同士の対向面はいずれも、同じ磁極に着磁されていることを特徴とする請求項１記載のレンズ駆動装置。
【請求項３】
前記光軸方向における２個の前記駆動用磁石片の間には、隙間が形成されていることを特徴とする請求項２記載のレンズ駆動装置。
【請求項４】
前記駆動用磁石部は、磁性材料で形成され前記光軸方向における２個の前記駆動用磁石片の間に配置される磁性板を備えることを特徴とする請求項２記載のレンズ駆動装置。
【請求項５】
前記光軸方向における前記駆動用コイルの幅は、前記光軸方向で対向する前記対向面の間の距離と、前記可動体の可動距離との和以上となっていることを特徴とする請求項３または４記載のレンズ駆動装置。
【請求項６】
前記駆動用磁石部は、前記レンズ駆動装置の四隅に配置され、
前記駆動用磁石部の前記光軸方向の中間位置に形成される磁極は、前記レンズ駆動装置の周方向で隣り合う他の前記駆動用磁石部の前記光軸方向の中間位置に形成される磁極と異なっていることを特徴とする請求項１から５いずれかに記載のレンズ駆動装置。
【請求項７】
前記駆動用磁石部は、前記レンズ駆動装置の四隅に配置され、
２個の前記駆動用磁石片同士の前記対向面に形成される磁極は、前記レンズ駆動装置の周方向で隣り合う他の２個の前記駆動用磁石片同士の前記対向面に形成される磁極と異なっていることを特徴とする請求項２から５いずれかに記載のレンズ駆動装置。
【請求項８】
磁性材料で形成され前記可動体および前記駆動機構を囲むように配置される略四角筒状のケース体を備えることを特徴とする請求項１から７いずれかに記載のレンズ駆動装置。
【請求項９】
磁性材料で形成され前記駆動用磁石部の被写体側の端面に当接する被写体側磁性部材と、磁性材料で形成され前記駆動用磁石部の反被写体側の端面に当接する反被写体側磁性部材とを備えることを特徴とする請求項１から８いずれかに記載のレンズ駆動装置。
【請求項１０】
前記可動体は、前記レンズが内周側に配置される略円筒状のスリーブを備え、
前記スリーブは、被写体側に配置される小径部と、反被写体側に配置され前記小径部よりも外径の大きな大径部とを備え、
前記駆動用コイルは、前記小径部の外周面に固定されていることを特徴とする請求項１から９いずれかに記載のレンズ駆動装置。
【請求項１１】
前記駆動用磁石部および前記駆動用コイルは、前記レンズ駆動装置の四隅に配置され、
４個の前記駆動用コイルは、１本の導線が順次巻回されて形成されていることを特徴とする請求項１から１０いずれかに記載のレンズ駆動装置。
【請求項１２】
前記駆動用磁石部および前記駆動用コイルは、前記レンズ駆動装置の四隅に配置され、
４個の前記駆動用コイルは、４本の導線がそれぞれ巻回されて形成されていることを特徴とする請求項１から１０いずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
携帯電話等に搭載されるカメラの撮影用レンズを駆動するレンズ駆動装置として、複数のレンズを保持して光軸方向に移動する移動レンズ体と、２枚の板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する円筒状のスリーブの外周に駆動用コイルが巻回されている。また、このレンズ駆動装置では、駆動用コイルの外周面に対向するように、４個の磁石が配置されている。
【０００３】
【特許文献１】特開２００８−５８６５９号公報
【発明の開示】
【発明が解決しようとする課題】
【０００４】
近年、携帯電話等に使用されるカメラの市場では、カメラの小型化の要求が一段と高まっており、そのため、カメラに搭載されるレンズ駆動装置の小型化の要求も一段と高まっている。一方で、近年、携帯電話等に使用されるカメラの市場では、高画素化、高解像度化の要求が高まっており、レンズ駆動装置に搭載されるレンズの径が大型化する傾向にある。そのため、レンズ駆動装置を小型化することが困難な状況が生じつつある。
【０００５】
そこで、本発明の課題は、レンズの光軸方向から見たときの形状が略四角形状となるレンズ駆動装置において、搭載されるレンズの径が大型化する場合であっても、小型化することが可能なレンズ駆動装置を提供することにある。
【課題を解決するための手段】
【０００６】
上記の課題を解決するため、本発明のレンズ駆動装置は、レンズの光軸方向から見たときの形状が略四角形状となるレンズ駆動装置であって、レンズを保持し光軸方向に移動可能な可動体と、可動体を光軸方向へ駆動するための駆動機構とを備え、駆動機構は、レンズ駆動装置の四隅の少なくとも１箇所に配置される略三角柱状の駆動用磁石部と、略三角筒状に巻回され、その内周面が駆動用磁石部の外周面と所定の隙間を介して対向配置される駆動用コイルとを備え、駆動用磁石部は、駆動用コイルとの対向位置で駆動用コイルを通過する磁束が発生するように着磁されていることを特徴とする。
【０００７】
本発明のレンズ駆動装置では、レンズの光軸方向から見たときの形状が略四角形状となるレンズ駆動装置の四隅に略三角柱状の駆動用磁石部が配置されている。また、略三角筒状に巻回された駆動用コイルは、その内周側が駆動用磁石部の外周面と所定の隙間を介して対向するように配置されている。そのため、デッドスペースとなりやすいレンズ駆動装置の四隅に駆動用磁石部および駆動用コイルを配置することができる。
【０００８】
また、本発明では、略三角筒状に巻回された駆動用コイルの内周面が駆動用磁石部の外周面と所定の隙間を介して対向配置され、かつ、駆動用磁石部は、駆動用コイルとの対向位置で駆動用コイルを通過する磁束が発生するように着磁されている。そのため、駆動用磁石部の全周および駆動用コイルの全周を利用して可動体を駆動するための磁気回路を効率良く形成することができる。したがって、駆動用磁石部および駆動用コイルを小型化しても可動体を駆動するための所定の駆動力を得ることが可能になる。すなわち、可動体を駆動するための駆動力を確保しつつ駆動用磁石部および駆動用コイルを小型化することが可能になる。
【０００９】
このように、本発明では、駆動用磁石部および駆動用コイルの小型化が可能で、かつ、デッドスペースとなりやすいレンズ駆動装置の四隅に駆動用磁石および駆動用コイルを配置することができる。したがって、本発明では、搭載されるレンズの径が大型化する場合であっても、レンズ駆動装置を小型化することが可能になる。
【００１０】
本発明において、駆動用磁石部は、光軸方向で重なるように配置される略三角柱状の２個の駆動用磁石片を備え、光軸方向における２個の駆動用磁石片同士の対向面はいずれも、同じ磁極に着磁されていることが好ましい。このように構成すると、２個の駆動用磁石片同士の対向面の間において、駆動用コイルを通過する磁束の密度を高めることができる。したがって、可動体を駆動するための磁気回路をより効率良く形成することができ、駆動用磁石部および駆動用コイルをさらに小型化することが可能になる。
【００１１】
本発明において、たとえば、光軸方向における２個の駆動用磁石片の間には、隙間が形成されている。また、本発明において、駆動用磁石部は、磁性材料で形成され光軸方向における２個の駆動用磁石片の間に配置される磁性板を備えることが好ましい。本願発明者の検討によると、２個の駆動用磁石片の間に磁性板が配置されている場合には、駆動用コイルを通過する磁束の密度を効果的に高めることが可能になる。
【００１２】
本発明において、光軸方向における駆動用コイルの幅は、光軸方向で対向する駆動用磁石片同士の対向面の間の距離と、可動体の可動距離との和以上となっていることが好ましい。このように構成すると、可動体の可動範囲内において、駆動用コイルを通過する磁束の密度を光軸方向のどの位置でも均一化することが可能になる。したがって、可動体の可動範囲内において、可動体の駆動力を安定させることが可能になる。
【００１３】
本発明において、駆動用磁石部は、レンズ駆動装置の四隅に配置され、駆動用磁石部の光軸方向の中間位置に形成される磁極は、レンズ駆動装置の周方向で隣り合う他の駆動用磁石部の光軸方向の中間位置に形成される磁極と異なっていることが好ましい。また、本発明において、駆動用磁石部は、レンズ駆動装置の四隅に配置され、２個の駆動用磁石片同士の対向面に形成される磁極は、レンズ駆動装置の周方向で隣り合う他の２個の駆動用磁石片同士の対向面に形成される磁極と異なっていることが好ましい。このように構成すると、レンズ駆動装置の周方向で隣り合う駆動用磁石部間で効率的な磁気回路を形成することが可能になる。
【００１４】
本発明において、レンズ駆動装置は、磁性材料で形成され可動体および駆動機構を囲むように配置される略四角筒状のケース体を備えることが好ましい。また、本発明において、レンズ駆動装置は、磁性材料で形成され駆動用磁石部の被写体側の端面に当接する被写体側磁性部材と、磁性材料で形成され駆動用磁石部の反被写体側の端面に当接する反被写体側磁性部材とを備えることが好ましい。このように構成すると、駆動用磁石部が発生させる磁束の漏れを抑制して、効率的な磁気回路を形成することが可能になる。
【００１５】
本発明において、可動体は、レンズが内周側に配置される略円筒状のスリーブを備え、スリーブは、被写体側に配置される小径部と、反被写体側に配置され小径部よりも外径の大きな大径部とを備え、駆動用コイルは、小径部の外周面に固定されていることが好ましい。このように構成すると、大径部の外周面に駆動用コイルが固定されている場合と比較して、スリーブにより近い位置に駆動用磁石部を配置することが可能になる。したがって、レンズ駆動装置をより小型化することが可能になる。
【００１６】
本発明において、駆動用磁石部および駆動用コイルは、レンズ駆動装置の四隅に配置され、４個の駆動用コイルは、たとえば、１本の導線が順次巻回されて形成されている。この場合には、４個の駆動用コイルに電流を供給するための給電用端子の数を最少にすることができ、レンズ駆動装置の構成を簡素化することができる。
【００１７】
また、本発明において、駆動用磁石部および駆動用コイルは、レンズ駆動装置の四隅に配置され、４個の駆動用コイルは、４本の導線がそれぞれ巻回されて形成されていても良い。この場合には、４個の駆動用コイルに対して個別に電流を供給することが可能になる。したがって、４個の駆動用コイルに供給される電流の方向や電流値を制御することで、可動体に保持されるレンズの傾きを補正することが可能になる。
【発明の効果】
【００１８】
以上のように、本発明では、レンズの光軸方向から見たときの形状が略四角形状となるレンズ駆動装置において、搭載されるレンズの径が大型化する場合であっても、レンズ駆動装置を小型化することが可能になる。
【発明を実施するための最良の形態】
【００１９】
以下、本発明の実施の形態を図面に基づいて説明する。
【００２０】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の要部の分解斜視図である。
【００２１】
本形態のレンズ駆動装置１は、携帯電話等で使用される比較的小型のカメラに搭載されるものであり、図１に示すように、全体として略四角柱状に形成されている。すなわち、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。
【００２２】
なお、本形態のレンズ駆動装置１が搭載されるカメラでは、図２の下側（すなわち、Ｚ２方向側）に図示を省略する撮像素子が配置されており、図２の上側（すなわち、Ｚ１方向側）に配置される被写体が撮影される。したがって、以下の説明では、Ｚ１方向側を被写体側、Ｚ２方向側を反被写体側（撮像素子側）とする。
【００２３】
レンズ駆動装置１は、図１〜図３に示すように、撮影用のレンズを保持し光軸方向に移動可能な可動体２と、可動体２を光軸方向に移動可能に保持する固定体３と、可動体２を光軸方向へ駆動するための駆動機構４とを備えている。
【００２４】
可動体２は、複数のレンズが固定されたレンズホルダ５を保持するスリーブ６を備えている。レンズホルダ５は、略円筒状に形成されており、その内周側に、光軸方向から見たときの形状が略円形状となる複数のレンズが固定されている。また、スリーブ６は、略円筒状に形成されており、その内周側でレンズホルダ５を保持している。
【００２５】
本形態では、レンズホルダ５の被写体側に径の小さな小径レンズが配置され、反被写体側に小径レンズよりも径の大きな大径レンズが配置されている。そのため、図２に示すように、レンズホルダ５の被写体側の外径は、反被写体側の外径よりも小さくなっている。また、レンズホルダ５の被写体側の外径が反被写体側の外径よりも小さくなっているため、スリーブ６は、図２等に示すように、被写体側に配置される小径部６ａと、反被写体側に配置され小径部６ａよりも内径および外径の大きな大径部６ｂとから構成される段付の略円筒状に形成されている。
【００２６】
レンズホルダ５の外周面には、オネジが形成され、スリーブ６の内周面には、レンズホルダ５の外周面に形成されるオネジと係合するメネジが形成されている。また、スリーブ６の被写体側端および反被写体側端には、図示を省略する板バネの一部が固定されている。この板バネの他の一部は、固定体３に固定されており、可動体２は、板バネを介して、固定体３に保持されている。
【００２７】
固定体３は、被写体側に配置される第１ケース体７と、反被写体側に配置される第２ケース体８とを備えている。第１ケース体７は、磁性材料で形成されるとともに、底部７ａと筒部７ｂとを有する底付きの略四角筒状に形成されている。被写体側に配置される底部７ａの中心には、円形の貫通孔７ｃが形成されている。第１ケース体７は、可動体２および駆動機構４の外周側を囲むように配置されている。第２ケース体８は、たとえば、樹脂材料で形成されるとともに、略四角筒状に形成されている。この第２ケース体８は、レンズホルダ５の反被写体側の外周側を覆うように、第１ケース体７の反被写体側端に取り付けられている。
【００２８】
駆動機構４は、レンズ駆動装置１の四隅（具体的には、第１ケース体７の内側の四隅）に配置される略三角柱状の４個の駆動用磁石部１１と、略三角筒状に巻回され、その内周側が駆動用磁石部１１の外周面と所定の隙間を介して対向配置される４個の駆動用コイル１２とを備えている。以下、この駆動機構４の詳細な構成について説明する。
【００２９】
（駆動機構の構成）
図４は、図３に示す駆動用磁石部１１および駆動用コイル１２の側面図である。図５は、図４のＧ−Ｇ方向から駆動用磁石片１４および駆動用コイル１２を示す図である。図６は、図１のレンズ駆動装置１の四隅に配置される駆動用磁石部１１の着磁状態を説明するための図である。
【００３０】
駆動用磁石部１１は、光軸方向で重なるように配置される略三角柱状の２個の駆動用磁石片１３、１４を備えている。本形態では、駆動用磁石片１３が被写体側に配置され、駆動用磁石片１４が反被写体側に配置されている。また、駆動用磁石片１３と駆動用磁石片１４とは、光軸方向に所定の隙間をあけた状態で配置されている。すなわち、光軸方向における駆動用磁石片１３と駆動用磁石片１４との間には所定の隙間が形成されている。
【００３１】
駆動用磁石片１３、１４は、光軸方向から見たときの形状が略直角二等辺三角形となるように形成されており、図５、図６に示すように、光軸Ｌに平行でかつ互いに直交する矩形状の２個の平面部１３ａ、１４ａと、光軸Ｌに平行でかつ２個の平面部１３ａ、１４ａを繋ぐ矩形状の１個の斜面部１３ｂ、１４ｂとを備えている。本形態では、第１ケース体７の筒部７ｂの内周面と平面部１３ａ、１４ａとが略平行になるように駆動用磁石片１３、１４が配置されている。すなわち、第１ケース体７の内側の対角位置に配置される２個の駆動用磁石片１３、１４は、斜面部１３ｂ、１４ｂが互いに対向するように配置されている。
【００３２】
駆動用磁石片１３は、第１ケース体７の底部７ａに固定されている。具体的には、駆動用磁石片１３の被写体側の端面は、底部７ａの反被写体側の面に固定されており、駆動用磁石片１３の被写体側の端面は、底部７ａの反被写体側の面に当接している。本形態の第１ケース体７の底部７ａは、駆動用磁石部１１の被写体側の端面に当接する被写体側磁性部材である。
【００３３】
駆動用磁石片１４の反被写体側の端面には、磁性材料で形成された平板状の磁性板１５が固定されており、駆動用磁石片１４の反被写体側の端面には、磁性板１５が当接している。磁性板１５は、光軸方向から見たときの形状が略直角二等辺三角形状となるように形成されており、図６に示すように、その斜辺部と駆動用磁石片１４の斜面部１４ｂとが略平行になるように、駆動用磁石片１４に固定されている。また、磁性板１５は、第１ケース体７の筒部７ｂの内周面に当接している。本形態の磁性板１５は、駆動用磁石部１１の反被写体側の端面に当接する反被写体側磁性部材である。
【００３４】
駆動用コイル１２は、図５に示すように、光軸方向から見たときの形状が略直角二等辺三角形状となるように巻回されている。４個の駆動用コイル１２は、図２に示すように、スリーブ６の小径部６ａの外周面に固定されている。具体的には、駆動用コイル１２の内周面と駆動用磁石部１１の外周面とが所定の隙間を介して略平行になるように、略９０°ピッチで４個の駆動用コイル１２が小径部６ａの外周面に固定されており、駆動用コイル１２は、第１ケース体７の内側の四隅に配置されている。なお、駆動用コイル１２は、第１ケース体７の内周面との間に所定の隙間を保った状態で、第１ケース体７の内側の四隅に配置されており、スリーブ６とともに光軸方向へ移動可能となっている。
【００３５】
本形態では、駆動用コイル１２に電流が供給されていないときに、図２に示すように、光軸方向における駆動用コイル１２の中心位置と、光軸方向で対向する駆動用磁石片１３、１４の対向面の間の中心位置とが略一致するように、駆動用磁石部１１および駆動用コイル１２が配置されている。また、光軸方向における駆動用コイル１２の幅Ｈ（図２参照）は、光軸方向で対向する駆動用磁石片１３、１４の対向面の間の距離Ｄ（図２参照）と、可動体２の可動距離との和以上となっている。そのため、本形態では、駆動用コイル１２の反被写体側端が、駆動用磁石片１４の被写体側端よりも被写体側へ移動することがなく、かつ、駆動用コイル１２の被写体側端が、駆動用磁石片１３の反被写体側端よりも反被写体側へ移動することがない。なお、本形態では、４個の駆動用コイル１２は、１本の導線が順次巻回されて形成されている。
【００３６】
図４、図６に示すように、駆動用磁石部１１を構成する２個の駆動用磁石片１３、１４は、光軸方向において、同じ磁極同士（Ｓ極とＳ極、あるいは、Ｎ極とＮ極）が対向するように配置されている。すなわち、駆動用磁石片１３、１４同士の対向面は、いずれも同じ磁極に着磁されている。そのため、図４、図５に示すように、駆動用磁石片１３、１４の間には、駆動用コイル１２の三面を通過する磁束Ｆが発生している。すなわち、駆動用磁石部１１は、駆動用コイル１２との対向位置で駆動用コイル１２を通過する磁束Ｆが発生するように着磁されている。
【００３７】
図６に示すように、駆動用磁石部１１を構成する２個の駆動用磁石片１３、１４同士の対向面に形成される磁極は、レンズ駆動装置１の周方向で隣り合う他の２個の駆動用磁石片１３、１４同士の対向面に形成される磁極と異なっている。すなわち、駆動用磁石部１１の光軸方向の中間位置に形成される磁極は、レンズ駆動装置１の周方向で隣り合う他の駆動用磁石部１１の光軸方向の中間位置に形成される磁極と異なっている。
【００３８】
たとえば、図６の右側および左側に配置される駆動用磁石片１３、１４同士の対向面に形成される磁極はＳ極であり、図６の上側および下側に配置される駆動用磁石片１３、１４同士の対向面に形成される磁極はＮ極である。そのため、図６に示す例では、図６の上側および下側に配置される駆動用磁石片１３、１４の間から図６の右側および左側に配置される駆動用磁石片１３、１４の間へ向かう磁束Ｆが発生している。
【００３９】
なお、本形態では、２個の駆動用磁石片１３、１４同士の対向面に形成される磁極が周方向で隣り合う他の２個の駆動用磁石片１３、１４同士の対向面に形成される磁極と異なっているため、図６の上側および下側に配置される駆動用磁石片１３、１４の周囲に配置される駆動用コイル１２の巻回方向と、図６の右側および左側に配置される駆動用磁石片１３、１４の周囲に配置される駆動用コイル１２の巻回方向とが異なっている。
【００４０】
（本形態の主な効果）
以上説明したように、本形態では、光軸方向から見たときの形状が略正方形状となるレンズ駆動装置１の四隅に略三角柱状の駆動用磁石部１１および略三角筒状の駆動用コイル１２が配置されている。そのため、光軸方向から見たときの形状が略円形状となるレンズを駆動するレンズ駆動装置１のデッドスペースとなるレンズ駆動装置１の四隅に駆動用磁石部１１および駆動用コイル１２を配置することができる。
【００４１】
また、本形態では、略三角筒状に巻回された駆動用コイル１２の内周面が駆動用磁石部１１の外周面と所定の隙間を介して対向配置され、かつ、駆動用磁石部１１は、駆動用コイル１２との対向位置で駆動用コイル１２を通過する磁束Ｆが発生するように着磁されている。そのため、駆動用磁石部１１の全周および駆動用コイル１２の全周を利用して可動体２を駆動するための磁気回路を効率良く形成することができる。したがって、駆動用磁石部１１および駆動用コイル１２を小型化しても可動体２を駆動するための所定の駆動力を得ることができる。すなわち、可動体２を駆動するための駆動力を確保しつつ駆動用磁石部１１および駆動用コイル１２を小型化することができる。
【００４２】
このように、本形態では、駆動用磁石部１１および駆動用コイル１２を小型化することができ、かつ、デッドスペースとなるレンズ駆動装置１の四隅に駆動用磁石１１および駆動用コイル１２を配置することができる。したがって、本形態では、搭載されるレンズの径が大型化する場合であっても、レンズ駆動装置１を小型化することができる。
【００４３】
本形態では、光軸方向で重なるように配置される２個の駆動用磁石片１３、１４同士の対向面はいずれも、同じ磁極に着磁されている。そのため、２個の駆動用磁石片１３、１４同士の対向面の間において、駆動用コイル１２を通過する磁束Ｆの密度を高めることができる。したがって、可動体２を駆動するための磁気回路をより効率良く形成することができ、駆動用磁石部１１および駆動用コイル１２をさらに小型化することができる。
【００４４】
本形態では、光軸方向における駆動用磁石片１３と駆動用磁石片１４との間には所定の隙間が形成されている。そのため、光軸方向における駆動用磁石片１３、１４等の寸法精度が低くても、光軸方向における駆動用磁石片１３、１４等の寸法誤差をこの隙間で吸収することが可能になる。すなわち、駆動用磁石片１３、１４等の寸法精度を下げることが可能になり、駆動用磁石片１３、１４等の部品の製造コストを低減することが可能になる。
【００４５】
本形態では、４個の駆動用磁石部１１および駆動用コイル１２は、略四角筒状に形成された第１ケース体７の筒部７ｂの内周側に配置されている。また、本形態では、駆動用磁石片１３の被写体側の端面は、底部７ａの反被写体側の面に当接し、駆動用磁石片１４の反被写体側の端面は、磁性板１５に当接している。そのため、駆動用磁石部１１が発生させる磁束Ｆの漏れを抑制して、効率的な磁気回路を形成することができる。
【００４６】
特に本形態では、駆動用磁石部１１を構成する２個の駆動用磁石片１３、１４同士の対向面に形成される磁極は、レンズ駆動装置１の周方向で隣り合う他の２個の駆動用磁石片１３、１４同士の対向面に形成される磁極と異なっており、たとえば、図６の上側および下側に配置される駆動用磁石片１３、１４の間から図６の右側および左側に配置される駆動用磁石片１３、１４の間へ向かう磁束Ｆが発生している。そのため、レンズ駆動装置１の径方向における駆動用磁石部１１の内側に磁性部材（すなわち、ヨーク）が配置されていなくても、レンズ駆動装置１の周方向で隣り合う駆動用磁石部１１間で効率的な磁気回路を形成することができる。
【００４７】
本形態では、光軸方向における駆動用コイル１２の幅Ｈは、光軸方向で対向する駆動用磁石片１３、１４の対向面の間の距離Ｄと、可動体２の可動距離との和以上となっている。そのため、可動体２の可動範囲内において、駆動用コイル１２を通過する磁束Ｆの密度を光軸方向のどの位置でも均一化することが可能になる。したがって、可動体２の可動範囲内において、可動体２の駆動力を安定させることが可能になる。
【００４８】
本形態では、駆動用コイル１２は、スリーブ６の小径部６ａの外周面に固定されている。そのため、大径部６ｂの外周面に駆動用コイル１２が固定されている場合と比較して、スリーブ６により近い位置に駆動用磁石部１１を配置することができる。したがって、レンズ駆動装置１をより小型化することができる。
【００４９】
本形態では、４個の駆動用コイル１２は、１本の導線が順次巻回されて形成されている。そのため、４個の駆動用コイル１２に電流を供給するための給電用端子の数を最少にすることができ、レンズ駆動装置１の構成を簡素化することができる。
【００５０】
（他の実施の形態）
上述した形態は、本発明の好適な形態の一例ではあるが、これに限定されるものではなく本発明の要旨を変更しない範囲において種々変形実施が可能である。
【００５１】
上述した形態では、駆動用磁石片１３、１４同士の対向面の間には、所定の隙間が形成されている。この他にもたとえば、駆動用磁石片１３、１４同士の対向面は当接していても良い。また、図７に示すように、光軸方向における駆動用磁石片１３と駆動用磁石片１４との間に磁性材料で形成された磁性板２１が配置されても良い。本願発明者の検討によると、駆動用磁石片１３、１４の間に磁性板２１が配置されていると、駆動用磁石片１３、１４の間に隙間が形成されている場合と比較して、駆動用コイル１２を通過する磁束Ｆの密度を効果的に高めることができる。なお、この場合には、たとえば、駆動用磁石片１３、１４同士の対向面は、磁性板２１に当接している。また、磁性板２１は、光軸方向から見たときの形状が略直角二等辺三角形状となる平板状に形成されている。
【００５２】
上述した形態では、駆動用磁石部１１は、２個の駆動用磁石片１３、１４によって構成されている。この他にもたとえば、図８に示すように、駆動用磁石部１１は、１個の駆動用磁石片２３のみによって構成されても良い。この場合には、図８に示すように、駆動用磁石片２３は、光軸方向の両端に形成される磁極と光軸方向の中間位置に形成される磁極とが異なるように着磁されている。すなわち、駆動用磁石片２３は、駆動用コイル１２との対向位置で駆動用コイル１２を通過する磁束Ｆが発生するように着磁されている。この場合には、レンズ駆動装置１の組立が容易になる。また、この場合には、レンズ駆動装置１の剛性を高めることが可能になる。
【００５３】
上述した形態では、レンズ駆動装置１の四隅に駆動用磁石部１１および駆動用コイル１２が配置されている。この他にもたとえば、可動体２の駆動力を得ることができるのであれば、レンズ駆動装置１の四隅の３箇所、２箇所あるいは１箇所のみに駆動用磁石部１１および駆動用コイル１２が配置されても良い。この場合には、駆動用磁石部１１および駆動用コイル１２が配置されないレンズ駆動装置１の隅部に可動体２を光軸方向へ案内するためのガイド軸が配置され、このガイド軸に係合する係合凹部がスリーブ６に形成されても良い。
【００５４】
上述した形態では、４個の駆動用コイル１２は、１本の導線が順次巻回されて形成されている。この他にもたとえば、４個の駆動用コイル１２は、４本の導線がそれぞれ巻回されて形成されていても良い。すなわち、１本の導線によって１個の駆動用コイル１２が形成されても良い。この場合には、４個の駆動用コイル１２に対して個別に電流を供給することが可能になる。そのため、４個の駆動用コイル１２に供給される電流の方向や電流値を制御することで、可動体２に保持されるレンズの光軸Ｌに対する傾きを全方向へ補正することが可能になる。また、レンズ駆動装置１あるいはレンズ駆動装置１が搭載されるカメラに手振れ検出用のセンサが搭載されている場合には、そのセンサからの出力信号を用いて４個の駆動用コイル１２に供給される電流の方向や電流値を制御することで、手振れ補正を行うことが可能になる。
【００５５】
なお、駆動用コイル１２へ電流を供給するための制御回路や駆動用コイル１２への電流の供給制御を簡素化するため、４個の駆動用コイル１２に個別に電流を供給せずに、２個の駆動用コイル１２を対として、２対の駆動用コイル１２に個別に電流を供給しても良い。この場合には、光軸Ｌに対して点対称に配置される２個の駆動用コイル１２が対となるように、光軸Ｌに対して点対称に配置される２個の駆動用コイル１２同士が接続されても良いし、レンズ駆動装置１の周方向で隣り合う２個の駆動用コイル１２が対となるように、レンズ駆動装置１の周方向で隣り合う２個の駆動用コイル１２が接続されても良い。
【００５６】
光軸Ｌに対して点対称に配置される２個の駆動用コイル１２同士が接続される場合には、光軸Ｌに対するレンズの傾きを互いに直交する２方向へ補正することができ、２方向への補正を組み合わせることで結果的に、光軸Ｌに対するレンズの傾きを全方向へ補正することが可能となる。また、レンズ駆動装置１の周方向で隣り合う２個の駆動用コイル１２が接続される場合（たとえば、図３の左側に配置される駆動用コイル１２と下側に配置される駆動用コイル１２とが接続され、図３の右側に配置される駆動用コイル１２と上側に配置される駆動用コイル１２とが接続される場合）には、光軸Ｌに対するレンズの傾きを１方向へ補正することができる。この場合には、より安定した特性を得るため、カメラに搭載されたときのレンズ駆動装置１の姿勢を考慮して、レンズの傾き補正が必要となる方向とレンズの傾きの補正方向と合うようにすることが好ましい。
【００５７】
上述した形態では、スリーブ６に保持されたレンズホルダ５の内周側に複数のレンズが固定されている。この他にもたとえば、スリーブ６の内周側に複数のレンズが直接固定されても良い。特許文献１に記載のレンズ駆動装置のように、スリーブの外周に駆動用コイルが巻回されるレンズ駆動装置の場合、内周側にレンズを固定した後のスリーブを巻線機にセットして、スリーブに駆動用コイルを巻回することは困難である。しかし、本形態では、内周側にレンズを固定した後のスリーブ６の外周面に空芯状に巻回された駆動用コイル１２を容易に貼り付けることができる。
【００５８】
上述した形態では、光軸方向における駆動用コイル１２の幅Ｈは、光軸方向で対向する駆動用磁石片１３、１４の対向面の間の距離Ｄと、可動体２の可動距離との和以上となっている。この他にもたとえば、可動体２の駆動力を得ることができるのであれば、駆動用コイル１２の幅Ｈは、光軸方向で対向する駆動用磁石片１３、１４の対向面の間の距離Ｄと可動体２の可動距離との和より小さくても良い。
【００５９】
上述した形態では、駆動用磁石部１１を構成する２個の駆動用磁石片１３、１４同士の対向面に形成される磁極は、レンズ駆動装置１の周方向で隣り合う他の２個の駆動用磁石片１３、１４同士の対向面に形成される磁極と異なっている。この他にもたとえば、２個の駆動用磁石片１３、１４同士の対向面に形成される磁極は、周方向で隣り合う他の２個の駆動用磁石片１３、１４同士の対向面に形成される磁極と同じであっても良い。
【００６０】
上述した形態では、スリーブ６は、段付の略円筒状に形成されているが、スリーブ６は段差のない略円筒状に形成されても良い。また、上述した形態では、可動体２側に駆動用コイル１２が固定され、固定体３側に駆動用磁石部１１が固定されているが、可動体２側に駆動用磁石部１１が固定され、固定体３側に駆動用コイル１２が固定されても良い。
【図面の簡単な説明】
【００６１】
【図１】本発明の実施の形態にかかるレンズ駆動装置の斜視図である。
【図２】図１のＥ−Ｅ断面の断面図である。
【図３】図１に示すレンズ駆動装置の要部の分解斜視図である。
【図４】図３に示す駆動用磁石部および駆動用コイルの側面図である。
【図５】図４のＧ−Ｇ方向から駆動用磁石片および駆動用コイルを示す図である。
【図６】図１のレンズ駆動装置の四隅に配置される駆動用磁石部の着磁状態を説明するための図である。
【図７】本発明の他の実施の形態にかかる駆動用磁石部を示す側面図である。
【図８】本発明の他の実施の形態にかかる駆動用磁石部を示す側面図である。
【符号の説明】
【００６２】
１  レンズ駆動装置
２  可動体
４  駆動機構
６  スリーブ
６ａ  小径部
６ｂ  大径部
７  第１ケース体（ケース体）
７ａ  底部（被写体側磁性部材）
１１  駆動用磁石部
１２  駆動用コイル
１３、１４  駆動用磁石片
１５  磁性板（反被写体側磁性部材）
２１  磁性板
Ｄ  対向面の間の距離
Ｆ  磁束
Ｈ  駆動用コイルの幅
Ｌ  光軸
Ｚ１  被写体側
Ｚ２  反被写体側
【図１】
2010139821.tif 000003
【図２】
2010139821.tif 000004
【図３】
2010139821.tif 000005
【図４】
2010139821.tif 000006
【図５】
2010139821.tif 000007
【図６】
2010139821.tif 000008
【図７】
2010139821.tif 000009
【図８】
2010139821.tif 000010